(57)【要約】      （修正有）【課題】住戸ごとの建てかえや増築などを隣接住戸に支障を及ぼすことなく行えるようにした集合住宅を提供する。【解決手段】整地された敷地内に通路１と当該通路１を挟んでその両側に複数の住戸２が通路１に沿ってそれぞれ長屋風に連続して配置する。各住戸２，２の隣接する側の外壁６，６は、住戸２ごとに独立して配置する。当該外壁６，６はエキスパンションジョイントによって接続する。外壁６，６を支持する基礎８，８は住戸２ごとに独立して配置する。【選択図】図２
2007321494.tif 000002
【特許請求の範囲】
【請求項１】
複数の住戸を互いに近接させて配置し、当該隣接する住戸どうしをエキスパンションジョイントによって接続することにより一体の集合体を構成してなる集合住宅であって、各住戸の基礎はそれぞれ独立に設けられてなることを特徴とする集合住宅。
【請求項２】
前記住戸は木質系、鉄骨系、補強ブロック系またはＲＣ系の構造によって構築してあることを特徴とする請求項１記載の集合住宅。
【請求項３】
前記基礎は独立基礎、布基礎またはべた基礎であることを特徴とする請求項１または２記載の集合住宅。
【請求項４】
隣接する住戸間に区画構造体を配置してなることを特徴とする請求項１〜３のいずれかに記載の集合住宅。
【発明の詳細な説明】
【技術分野】
【０００１】
本発明は長屋風の集合住宅に関し、いわゆるマンション等の共同住宅と戸建住宅の両方のメリットを備え、特に住戸ごとの建て替えを隣接住戸に支障を及ぼすことなく自由に行えるようにしたものである。
【背景技術】
【０００２】
一般に、マンション等の共同住宅は敷地全体にセキュリティをかけることができ、また駐車場や中庭、植栽などは共用部分として比較的広いスペースを確保することができるため、戸建住宅や長屋住宅よりも安全でゆとりのある居住環境を提供することができる。
【０００３】
一方、戸建住宅は住戸ごとに独立しているため、プライバシーや独立性が高く、生活騒音などのトラブルが発生しにくい。また、窓などの開口部を必要に応じて設けることにより採光や通風の確保も容易なため、明るく開放的な居住空間を容易に確保することができ、さらに、壁などの構造体や構造体を支える基礎が独立しているため、建て替えや増築なども隣接住戸に支障を及ぼすことなく、住戸ごとに行うことができる等のメリットを備えている。
【０００４】
【特許文献１】特開平２０００−２７４０４９号公報
【特許文献２】特開２００２−１７４０４０号公報
【特許文献３】特開２００２−３３２７５２号公報
【発明の開示】
【発明が解決しようとする課題】
【０００５】
しかし、長屋やマンション等の共同住宅は、各住戸の壁やスラブ等の構造体、さらにこれらを支える基礎が共通していることから、住戸ごとの建て替えや増築はほぼ不可能であり、このため、建物の老朽化などで建て替えが必要になった場合、建物全体の建て替えを強いられることとなる。
【０００６】
また、各住戸どうしが共通の壁や床・天井を介して接しているため、生活上のプライバシーや独立性を確保することが難しく、生活騒音などのトラブルが発生しやすい。
【０００７】
さらに、複数の住戸の基礎が一体に構築されていると、不動沈下や地震などで致命的な被害を被るおそれがあり構造的に不利であった。
【０００８】
一方、戸建住宅は、その多くが限られた敷地内に敷地境界に近接してほぼ敷地一杯に建てられているため、不審者が侵入しやすく安全な居住環境を確保しにくく、そのセキュリティ対策も住戸ごとに行う必要がある。
【０００９】
また、各住戸の周囲のわずかな部分に駐車場や庭などを確保せざるを得ないため、いずれも充分なスペースを確保しにくく、ゆとりのある快適な居住環境が望めない等の課題がある。
【００１０】
本発明は、以上の課題を解決するためになされたもので、特に住戸ごとの建て替えや増築を隣接住戸に支障を及ぼさずに行うことのできる集合住宅を提供することを目的とする。
【課題を解決するための手段】
【００１１】
請求項１記載の集合住宅は、複数の住戸を互いに隣接して配置するとともに、当該隣接する住戸どうしをエキスパンションジョイントによって接続することにより一体の集合体を構成し、かつ各住戸の基礎をそれぞれ独立に設けてなることを特徴とするものである。
【００１２】
本発明は特に、これまでの集合住宅ではほぼ不可能な各住戸の増改築を隣接住戸に何らの支障を及ぼすことなく個々に行えるようにして将来の家族構成やライフスタイルの変化などに自由に対応できるようにしたものである。
【００１３】
また、集合住宅でありながら各住戸の基礎をそれぞれ独立に配置したことで、不動沈下や地震による被害をうけにくく構造的に有利になる。
【００１４】
さらに、各住戸どうしがエキスパンションジョイントによって接続され、かつ住戸ごとに基礎が独立に配置されていることで、隣接住戸に何ら支障をきたすことなく住戸の建てかえや増改築を行うことができるため、将来の家族構成の変化やライフスタイルの変化に柔軟に対応することができる。
【００１５】
この場合のエキスパンションジョイントは、構造的に特に限定されるものではないが、住戸間に一定の隙間を設け、その外周部にジョイントカバーを取り付けた構造にしてあれば、隣接住戸に何ら支障を及ぼすことなく住戸の増改築を行うことができる。
【００１６】
また、各住戸の構造は将来的に増改築を予定していることから、在来の木造軸組構造や枠組壁構造などの木質系、主要部を軽量鉄骨や重量鉄骨構造とした鉄骨系、補強ブロック構造、さらに後の取り壊しを考慮した構造にしてあれば、ＲＣ構造などの非木質系の構造によって構築されていてもよい。
【００１７】
また、各住戸の階数、平面および立面の形態、さらには各住戸の配置形態は特に限定されるものではなく、間取りや周辺の環境に合わせて自由な形態とすることができ、用途地域にもよるが二階建てないし三階建ての低層住宅が望ましい。
【００１８】
なお、この場合の住戸は、住戸どうしがかなり近接して配置されることから、特に屋外側からの外装仕上げは困難である。この点に関しては、外壁は施工済みの床の上で軸組を組み立て、当該軸組に外装材を取り付けて仕上げまで完了し、これを土台または梁の上に建て付けることにより軸組の建て込みと外装仕上げを同時に行う、いわゆる建て起こし工法などを利用することができる。
【００１９】
具体例として、奥行き１０ｍ程度で建築面積１００ｍ２程度の住戸を考慮した場合、一回の作業で建て起こす壁の長さは、人力による建て起こしのことも考慮すると５ｍ程度が望ましい。
【００２０】
したがって、隣接する住戸間の接続部の長さを住戸の奥行き方向の１／２程度(５ｍ程度)とすれば、人力による１回の建て起こしが可能である。また、これより先の部分には所定幅の空域部を設ければ、当該空域部は外壁施工用の作業用スペースにもなるため屋外側から外壁の施工が可能になり、しかも窓などの開口部を設けることもできる。
【００２１】
また、一般にかなり長い外壁を建て起こし工法で施工するときは、外壁を複数に分割して行うが、建て起こした後の隣接する外壁間の接合と防水処理が必要なことを考慮すると、外壁間の接続部は手の届く範囲に設けるのが望ましい。
【００２２】
本発明は敷地の周囲に主にセキュリティを目的とした境界構造物を設置することで、集合住宅全体に対してマンションに近いセキュリティを確保することができる。この場合の境界構造物としては、フェンスや塀などの工作物の他、防犯カメラ等を設置することができる。
【００２３】
また、住戸数が相当な戸数になるときは、複数のユニットに区画し、複数のコミュニティの集合体とすることで、総住戸数に関わらず安全な生活環境を容易に確保することができる。
【００２４】
請求項２記載の集合住宅は、請求項１記載の集合住宅において、前記住戸は木質系、鉄骨系、補強ブロック系またはＲＣ系の構造によって構築してあることを特徴とするものである。
【００２５】
本発明は特に、住戸部分は将来的に増改築を予定していることから、在来の木造軸組工法や枠組壁工法などの木質系、あるいは主要部に軽量鉄骨を用いた構築工法などによって構築してあれば、取り壊しが容易で住戸の増改築をスムーズに行うことができる。また、ＲＣ構造も取り壊しの容易な構成であれば利用することができる。
【００２６】
請求項３記載の集合住宅は、請求項１または２記載の集合住宅において、前記基礎は独立基礎、布基礎またはべた基礎としたことを特徴とするものである。  本発明の実施に際し、基礎は特別な構造である必要はなく、従来の独立基礎、布基礎、またはべた基礎によって十分対応することができ、特にべた基礎は住戸の不動沈下や床下の湿気を防止する上で適している。
【００２７】
請求項４記載の集合住宅は、請求項１〜３のいずれかに記載の集合住宅において、隣接する各住戸間に区画構造体を配置してなることを特徴とするものである。
【００２８】
各住戸間の区画構造体は主に、各住戸間の生活騒音を遮断し、かつ火災時の延焼を防止する等の働きをするものであり、ＲＣ構造や補強ブロック構造の壁体、あるいは鉄骨構造などの不燃構造の軸組にプレキャストコンクリート板などからなる遮蔽板を取り付けた構造のもの、さらには表面に防火処理を施した間伐材を複数互いに密着させて建て付け壁状に形成したもの等が考えられる。
【００２９】
当該区画構造体は複数ヶ所に分散して配置してもよい。また、住戸の壁などの構造体の一部として配置することにより住戸の耐震性を高めることもでき、特に耐震性に劣る木造の住戸に適している。
【発明の効果】
【００３０】
本発明は、特に隣接する各住戸どうしがエキスパンションジョイントによって接続され、かつ各住戸の基礎がそれぞれ独立に配置されていることで、住戸ごとの増改築を隣接住戸に何らの支障を及ぼすことなく、自由に行うことができ、将来の家族構成やライフスタイルの変化などに自由に対応しながら半永久的に住み続けることができる等の効果がある。
【発明を実施するための最良の形態】
【００３１】
図１〜図３は、本発明の一例を示し、図において、整地された敷地内に通路１と当該通路１を挟んでその両側に複数の住戸２が通路１に沿ってそれぞれ長屋風に連続して配置されている。また、公道３と接する側に居住者専用の駐車場４が配置されている。
【００３２】
さらに、住戸２と敷地境界との間および住戸２と通路１との間に必要な植栽を行うことにより敷地全体の緑化がなされ、また、敷地境界に沿ってフェンスや塀、防犯カメラ（図省略）などを配置することにより敷地全体に対して必要なセキュリティがなされている。
【００３３】
通路１は共用の中庭を兼ねており、その一端側はエントランス５を介して公道３に接している。そして、居住者と来訪者はエントランス５と通路１を通って各住戸２と外部とを自由に行き来できるようになっている。
【００３４】
各住戸２，２の隣接する側の外壁６，６は、住戸２ごとに独立して配置されており、また当該外壁６，６はエキスパンションジョイントによって互いに接続されており、さらに外壁６，６を支持する基礎８，８は住戸２ごとに独立して配置されている。基礎８には布基礎、独立基礎またはべた基礎が用いられている。
【００３５】
外壁６，６間には一定幅の隙間７が設けられ、また、図３(ｃ)に図示するように外壁６，６間の外周に隙間７が外部に露出しないようにジョイントカバー９が取り付けられている。ジョイントカバー９には伸縮自在な蛇腹状に形成されたものが用いられている。
【００３６】
各住戸２の外壁６と基礎８がこのように独立して配置され、かつ外壁６，６がエキパンションジョイントによって接続されていることで、住戸ごとの増改築を互いに支障を及ぼすことなく自由に行うことができる。
【００３７】
特に、各住戸２の基礎８が住戸ごとに独立していることで、既存の基礎８の撤去および新たな基礎の施工を隣接する住戸に支障を及ぼすことなく行うことができるため、各住戸２の大規模な増改築も容易に行うことができる。
【００３８】
図４と図５は、本発明の他の例を示したものである。具体的に説明すると、隣接する各住戸２，２間に区画構造体１０が配置されている。区画構造体１０は隣接する住戸２，２の一方の外壁６の一部としてＲＣ構造などによって構築されている。また、区画構造体１０は、例えば図４(ａ)，(ｂ)に図示するように、一ヶ所あるいは複数ヶ所に分けて配置されている。
【００３９】
また、隣接する各住戸２，２の外壁６，６間に一定幅の隙間７が設けられ、当該隙間７が外部に露出しないように外壁６，６間の外周にジョイントカバー９が取り付けられている。ジョイントカバー９には伸縮自在な蛇腹状に形成されたものが用いられている。
【００４０】
隣接する各住戸２，２がこのように接続されていることで、住戸２の増改築を互いに支障を及ぼすことなく行うことができる。また、各住戸２の外壁６がそれぞれ独立していることで、各住戸２，２間の遮音性や住戸ごとの断熱性を保つことができる。
【００４１】
さらに、図５(ａ)，(ｂ)に図示するように区画構造体１０を外壁面より突出させて配置することで、隣接する各住戸２，２間に一定幅の空域部１１を確保することができ、これにより各住戸２，２間の対向する外壁にも窓などの開口部１２を設けて明るく開放的な居室を確保することができる。また、外壁面より突出した区画構造体１０の屋上部分をルーフバルコニーとして利用することができる。
【図面の簡単な説明】
【００４２】
【図１】集合住宅の一例を示す平面図である。
【図２】集合住宅の外観を示す一部斜視図である。
【図３】（ａ）は住戸の配置例を示す集合住宅の一部平面図、（ｂ）は（ａ）におけるイ−イ線断面図、（ｃ）は（ａ）におけるロ部拡大図である。
【図４】（ａ），（ｂ）は集合住宅の他の例を示す平面図である。
【図５】（ａ）は、図４（ａ），（ｂ）におけるハ−ハ線断面図、（ｂ）は図４（ａ）におけるニ部拡大図である。
【符号の説明】
【００４３】
１  通路
２  住戸
３  公道
４  駐車場
５  エントランス
６  外壁
７  隙間
８  基礎
９  ジョイントカバー
１０  区画構造体
１１  空域部
１２  開口部
【図１】
2007321494.tif 000003
【図２】
2007321494.tif 000004
【図３】
2007321494.tif 000005
【図４】
2007321494.tif 000006
【図５】
2007321494.tif 000007